(57)【要約】【課題】ポンプの所定の管路への送気流量を調整する流量調整手段を制御しつつ、内視鏡に取り付けられるバルーンの異常を自動的に判定する手段を有し、術者および術者の補助者等が、簡便に内視鏡用バルーンおよびオーバーチューブ用バルーンにおける気密不良等の異常を確認することができるような内視鏡バルーン制御装置を提供する。【解決手段】内視鏡バルーン制御装置７は、スイッチング電源部３１と、第１ブレーカ３２ａと、第２ブレーカ３２ｂと、第１ポンプ３３ａおよび第２ポンプ３３ｂと、内部に流量調整手段を有する管路切替部３４と、第１圧力センサ３５ａおよび第２圧力センサ３５ｂと、所定の検査における制御手段を有する制御部３６とを内部に有し、異常状態告知手段である第１ＬＥＤ１８ａと、第２ＬＥＤ１８ｂとを外装表面上に有する。【選択図】図３
2005296256.tif 000002
【特許請求の範囲】
【請求項１】
内視鏡に用いられるバルーンに接続される所定の管路に対し空気の送気を行うポンプと、
前記所定の管路の内圧を測定する圧力測定手段と、
前記ポンプの前記所定の管路に対する送気流量を調整する流量調整手段と、
前記流量調整手段を制御することによって、前記ポンプの前記所定の管路への送気流量を変化させて前記所定の管路の内圧値を所定の圧力値とした後、第１の時間および第２の時間において前記圧力測定部が測定した前記所定の管路の内圧値を取得し、かつ、前記第１の時間における前記所定の管路の第１の内圧値と第２の時間における前記所定の管路の第２の内圧値との差の絶対値が所定の閾値を超える場合においては、前記バルーンが異常であることを判定する制御手段と、
前記制御手段の判定結果に基づき、前記所定の管路の異常を告知する異常状態告知手段と、
を具備することを特徴とする内視鏡バルーン制御装置。
【請求項２】
前記制御手段は、前記流量調整手段を制御することによって、前記ポンプの前記所定の管路への送気流量を最小送気流量および最大送気流量に変化させて前記所定の管路に空気を供給し、所定の時間において前記圧力測定部が測定した前記所定の管路の内圧値を取得し、かつ、前記ポンプの最小送気流量の空気が前記所定の管路に供給された後前記所定の時間が経過した際に、前記所定の管路の内圧値が予め設定された第１の閾値を超えた場合、または前記ポンプの最大送気流量の空気が前記所定の管路に供給された後前記所定の時間が経過した際に、前記所定の管路の内圧値が予め設定された第２の閾値に達しない場合においては、前記ポンプが異常であることを判定する判定手段を有することを特徴とする請求項１記載の内視鏡バルーン制御装置。
【請求項３】
前記制御手段は、所定の時間において前記圧力測定部が測定した前記所定の管路の内圧値と、予め設定された内圧の目標値との差分を最小にする流量調整を行う手段を有することを特徴とする請求項１記載の内視鏡バルーン制御装置。
【発明の詳細な説明】
【技術分野】
【０００１】
本発明は、内視鏡バルーン制御装置に関し、特に、ポンプの所定の管路への送気流量を調整する流量調整手段を制御しつつ、内視鏡に取り付けられるバルーンの異常を判定することのできる内視鏡バルーン制御装置に関するものである。
【背景技術】
【０００２】
従来より、内視鏡は医療分野等において広く用いられている。特に、医療分野における内視鏡は、術者が被検体である生体内の検査、観察等の処置を行うという用途において主に用いられている。そのため、内視鏡による生体内の検査、観察等を行う際に、術者および生体に対する負担を軽減するという目的において、内視鏡の生体への挿入性および内視鏡の生体内での操作性の向上を図る装置の提案がこれまでに数多くなされている。
【０００３】
このような装置としては、例えば、特許文献１において提案されている内視鏡挿入補助用バルーン付きチューブ、および特許文献２において提案されている内視鏡装置といった装置がある。
【０００４】
特許文献１において提案されている内視鏡挿入補助用バルーン付きチューブは、内視鏡の先端に取り付けられる内視鏡先端バルーンと、内視鏡に取り付けられるチューブ本体と、チューブ本体の先端に設けられたチューブ先端バルーンとを具備している。
【０００５】
また、特許文献２において提案されている内視鏡装置は、内視鏡本体の先端に取り付けられる本体固定用バルーンと、内視鏡に取り付けられるスライディングチューブと、スライディングチューブの先端外周部に取り付けられたチューブ固定用バルーンとを具備している。
【０００６】
前記特許文献１および前記特許文献２内に開示されている発明においては、共に内視鏡および内視鏡に取り付けるチューブにそれぞれ１つずつバルーンが取り付けられており、該バルーンにより、内視鏡の生体への挿入性および内視鏡の生体内での操作性の向上が図られている。
【特許文献１】特開２００１−３４０４６２号公報
【特許文献２】特開２００２−３０１０１９号公報
【発明の開示】
【発明が解決しようとする課題】
【０００７】
内視鏡の挿入性および操作性の向上を目的として用いられるバルーンは、様々な材質で形成された、様々な容量を持つものがあり、術者が生体に対して行う処置の内容、術者が処置の際に用いる内視鏡の種類、および生体の個体差等によって使い分けられていることが一般的である。
【０００８】
そのため、例えば、生体に対して処置を行う現場においては、バルーンの交換を何度も行いながら処置を行う場合も想定される。この場合、バルーンの交換の度に、交換用のバルーンに対し、生体内における固定不良が起こる可能性を、術者および術者の補助者等が生体外で確認を行う必要が生じ、結果的に生体に対する処置時間が長くなるという課題がある。
【０００９】
しかし、前記特許文献１内に開示されている発明においては、所定の材質で形成されたバルーンにおける最適な拡張圧のみが記載されているのみであり、生体内における固定不良が起こる可能性を生体外で確認する手段については記載されておらず、前記課題に対する提案はなされていない。
【００１０】
また、前記特許文献２内に開示されている発明においては、バルーン内の圧力を最適な状態に制御する制御手段は具備しているが、該制御手段は、生体内における固定不良が起こる可能性を生体外で確認する手段を有しておらず、前記特許文献１内に開示されている発明と同様に、前記課題に対する提案はなされていない。
【００１１】
本発明は、前記した点に鑑みてなされたものであり、内視鏡に取り付けられるバルーン管路の異常を、生体に対して処置を行う現場において、簡便かつ自動的に判定することのできる内視鏡バルーン制御装置を提供することを目的としている。
【課題を解決するための手段】
【００１２】
本発明における内視鏡バルーン制御装置は、内視鏡に用いられるバルーンに接続される所定の管路に対し空気の送気を行うポンプと、前記所定の管路の内圧を測定する圧力測定手段と、前記ポンプの前記所定の管路に対する送気流量を調整する流量調整手段と、前記流量調整手段を制御することによって、前記ポンプの前記所定の管路への送気流量を変化させて前記所定の管路の内圧値を所定の圧力値とした後、第１の時間および第２の時間において前記圧力測定部が測定した前記所定の管路の内圧値を取得し、かつ、前記第１の時間における前記所定の管路の第１の内圧値と第２の時間における前記所定の管路の第２の内圧値との差の絶対値が所定の閾値を超える場合においては、前記バルーンが異常であることを判定する制御手段と、前記制御手段の判定結果に基づき、前記所定の管路の異常を告知する異常状態告知手段とを具備している。
【発明の効果】
【００１３】
本発明は、生体に対して処置を行う現場において、術者および術者の補助者等が、簡便かつ自動的に、内視鏡用バルーンおよびオーバーチューブ用バルーンにおける気密不良等の異常を確認することができるような内視鏡バルーン制御装置を提供できる。
【発明を実施するための最良の形態】
【００１４】
以下、図面を参照して本発明の実施の形態を説明する。
【００１５】
まず、図１および図１０から図１６を用いて、本実施形態に係る内視鏡バルーン制御装置が用いられる、内視鏡システムについて説明を行う。
【００１６】
図１は、内視鏡システムにおいて、本実施形態に係る内視鏡バルーン制御装置が用いられた内視鏡システムの構成図である。図１０は、生体内に内視鏡が挿入された状態を説明するための説明図である。図１１は、オーバーチューブ用バルーンを拡張させ、オーバーチューブを生体内に固定した状態を示す図である。図１２は、オーバーチューブが生体内に固定された際に、内視鏡の挿入部のみを所定の距離だけ前進させた状態を示す図である。図１３は、内視鏡の挿入部のみを所定の距離だけ前進させた後、内視鏡用バルーンを拡張させて内視鏡の挿入部を生体内に固定した状態を示す図である。図１４は、内視鏡の挿入部が生体内に固定された状態で、オーバーチューブ用バルーンを収縮させた状態を示す図である。図１５は、内視鏡の挿入部が生体内に固定された際に、オーバーチューブのみを所定の距離だけ前進させた状態を示す図である。図１６は、オーバーチューブを所定の距離だけ前進させた後、再びオーバーチューブ用バルーンを拡張させ、オーバーチューブを生体内に固定した状態を示す図である。
【００１７】
内視鏡システム１は、内視鏡２と、光源装置４と、ビデオプロセッサ５と、モニター６と、内視鏡バルーン制御装置７とからなる。また、内視鏡２は、操作部２ａと、挿入部２ｂと、ユニバーサルコード２ｃとからなる。内視鏡２の挿入部２ｂの外周部の先端部には、内視鏡用バルーン９が取り付けられている。外周部の内視鏡用バルーン９と操作部２ａとに挟まれる部分には、オーバーチューブ３が、挿入部２ｂを挿通するように取り付けられている。
【００１８】
内視鏡用バルーン９は、内部に対する送気により所定の大きさまで拡張できるような材質で形成されており、挿入部２ｂの内周部の一部に設けられた、空気供給チューブ１０と連通している。空気供給チューブ１０は、操作部２ａの一部に設けられたコネクタ２ｄと、そのコネクタ２ｄと接続されたコネクタ１３ａとを介し、第１送気チューブである内視鏡用バルーン送気チューブ１３と連通している。また、内視鏡用バルーン送気チューブ１３は、一端にコネクタ１３ａを有し、他端にコネクタ１３ｂを有する。内視鏡用バルーン送気チューブ１３の他端側のコネクタ１３ｂは、内視鏡バルーン制御装置７のコネクタ７ａに接続される。なお、コネクタ１３ｂとコネクタ７ａとの接続により、内視鏡用バルーン送気チューブ１３の内部の気密が保たれる構造となっている。さらに、同様に、コネクタ２ｄとコネクタ１３ａとの接続により、空気供給チューブ１０と内視鏡用バルーン送気チューブ１３の内部の気密が保たれる構造となっている。
【００１９】
オーバーチューブ３は、先端部に設けられたオーバーチューブ用バルーン１１と、オーバーチューブ用バルーン１１に連通する空気供給チューブ１２とからなる。オーバーチューブ用バルーン１１は、内部に対する送気により所定の大きさまで拡張できるような材質で形成されている。空気供給チューブ１２は、内視鏡２の外径よりも若干大きな内径および内視鏡２と略同様の可撓性を有し、オーバーチューブ３の一部に設けられたコネクタ３ａと、そのコネクタ３ａと接続されたコネクタ１４ａを介し、第２送気チューブであるオーバーチューブ用バルーン送気チューブ１４と連通している。また、オーバーチューブ用バルーン送気チューブ１４は、一端にコネクタ１４ａを有し、他端にコネクタ１４ｂを有する。内視鏡用バルーン送気チューブ１４の他端側のコネクタ１４ｂは、内視鏡バルーン制御装置７のコネクタ７ｂに接続される。なお、コネクタ１４ｂとコネクタ７ｂとの接続により、オーバーチューブ用バルーン送気チューブ１４の内部の気密が保たれる構造となっている。さらに、同様に、コネクタ３ａとコネクタ１４ａとの接続により、空気供給チューブ１２とオーバーチューブ用バルーン送気チューブ１４の内部の気密が保たれる構造となっている。
【００２０】
光源装置４は外部にコネクタ４ａを有し、コネクタ４ａは内視鏡２のユニバーサルコード２ｃと着脱自在に接続される構造となっている。ビデオプロセッサ５は、ユニバーサルコード２ｃより分岐した接続ケーブル４ｂと着脱自在に接続される構造となっている。また、ビデオプロセッサ５は、接続ケーブル５ａを介してモニター６に接続されている。
【００２１】
リモートコントローラ８は、接続ケーブル８ａと、コネクタ７ｃとを介して内視鏡バルーン制御装置７に接続されており、内視鏡バルーン制御装置７の操作を行うための図示しないスイッチが設けられている。
【００２２】
内視鏡システム１を用いて術者が生体内の検査、観察等を行う際には、まず、挿入部２ｂを生体内における検査、観察等を行う部位まで挿入する必要があるが、術者が生体に対して行う処置の内容、術者が処置の際に用いる内視鏡の種類、および生体の個体差等により、挿入部２ｂを該部位まで挿入することが難しい場合がある。その場合、内視鏡用バルーン９およびオーバーチューブ用バルーン１１の拡張および収縮を繰り返して行うことで、挿入性および挿入後の生体内における操作性を向上させることができる。
【００２３】
その方法としては、まず、図１０に示すように、内視鏡用バルーン９およびオーバーチューブ用バルーン１１を十分収縮させた状態で、術者は、挿入部２ｂの先端部を生体内である腸管１０１に挿入する。次に、挿入部２ｂの挿入が困難な部位にさしかかった場合、術者は、リモートコントローラ８に設けられた図示しないスイッチを操作し、内視鏡バルーン制御装置７に対し、オーバーチューブ用バルーン１１を拡張させるための信号を送信する。その信号を受信した内視鏡バルーン制御装置７は、オーバーチューブ用バルーン送気チューブ１４と、空気供給チューブ１２とを介してオーバーチューブ用バルーン１１に空気を送気し、図１１に示すように、オーバーチューブ用バルーン１１を拡張させる。その後、オーバーチューブ３が、オーバーチューブ用バルーン１１により腸管１０１の外周部である腸壁１０２で固定されている該状態において、図１２に示すように、術者は、挿入部２ｂのみをオーバーチューブ用バルーン１１からスライドさせて、所定の距離前進させる。挿入部２ｂを該所定の距離だけ前進させた場合において、術者は、リモートコントローラ８に設けられた図示しないスイッチを操作し、内視鏡バルーン制御装置７に対し、内視鏡用バルーン９を拡張させるための信号を送信する。その信号を受信した内視鏡バルーン制御装置７は、オーバーチューブ用バルーン送気チューブ１３と、空気供給チューブ１０とを介して内視鏡用バルーン９に空気を送気し、図１３に示すように、内視鏡用バルーン９を拡張させる。内視鏡用バルーン９が所定の大きさまで拡張した後、術者は、今度はリモートコントローラ８に設けられた図示しないスイッチを操作し、内視鏡バルーン制御装置７に対し、オーバーチューブ用バルーン１１を収縮させるための信号を送信する。その信号を受信した内視鏡バルーン制御装置７は、装置内部に設けられた図示しない管路の一部を開放することで、前記操作によってオーバーチューブ用バルーン１１に送気した空気を装置外部に放出し、図１４に示すように、オーバーチューブ用バルーン１１を収縮させる。その後、挿入部２ｂが内視鏡用バルーン９により腸壁１０２で固定されている該状態において、図１５に示すように、術者は、挿入部２ｂを前進させた前記所定の距離だけオーバーチューブ３を前進させる。さらに深部に挿入部２ｂを前進させたい場合には、図１６に示すように、術者は、再びオーバーチューブ用バルーン１１を拡張させ、オーバーチューブ３を腸壁１０２に固定させた上で、リモートコントローラ８に設けられた図示しないスイッチを操作し、内視鏡用バルーン９を収縮させて図１１の状態とする。これ以降は、図１１から図１６を参照しつつ説明を行った前記の方法を繰り返し行うことで、挿入部２ｂを深部に前進させることができる。
【００２４】
そのようにして挿入部２ｂを検査、観察等を行いたい部位である被撮像部位まで挿入した後、術者は、光源装置４が有する図示しない光源から、ユニバーサルコード２ｃ等を介して該部位に所定の光量の光を照射させる。被撮像部位が反射した光による画像情報は、光源装置４を介してビデオプロセッサ５に送信され、ビデオプロセッサ５の内部に設けられた図示しない信号処理回路により信号処理が行われ、モニター６に被撮像部位の画像として表示する。よって、術者は、被撮像部位の検査、観察等を行うことができる。
【００２５】
次に、本実施形態に係る内視鏡バルーン制御装置について説明を行う。図２から図８は、本実施形態に係るものである。図２は、本実施形態に係る内視鏡バルーン制御装置の接続構成図である。図３は、本実施形態に係る内視鏡バルーン制御装置の内部構成を示したブロック図である。図４は、本実施形態に係る内視鏡バルーン制御装置の制御内容を示すフローチャートである。図５は、図４のフローチャートにおいて、本実施形態に係る内視鏡バルーン制御装置が有するポンプの最小流量設定において異常調整終了通知と判定される場合の、管路の内圧と送気時間との関係を示したグラフである。図６は、図４のフローチャートにおいて、本実施形態に係る内視鏡バルーン制御装置が有するポンプの最大流量設定において異常調整終了通知と判定される場合の、管路の内圧と送気時間との関係を示したグラフである。図７は、図４のフローチャートにおいて、本実施形態に係る内視鏡バルーン制御装置が有するポンプの流量設定を最小流量設定から最大流量設定に変化させても異常が確認されなかった場合の、管路の内圧と送気時間との関係を示したグラフである。図８は、図４のフローチャートにおいて、内視鏡バルーン制御装置が有するポンプの流量設定を調整後流量設定とした後に、管路の内圧を略平衡状態となる所定の内圧値として管路の内圧の変化を確認する場合の、管路の内圧と送気時間との関係を示したグラフである。
【００２６】
内視鏡バルーン制御装置７は、コネクタ７ａと、コネクタ７ｂと、コネクタ７ｃと、逆流防止用タンク１５と、圧力表示器１６と、電源スイッチ１７と、検査スイッチ１８と、異常状態告知手段である第１ＬＥＤ１８ａと、同じく異常状態告知手段である第２ＬＥＤ１８ｂとを外装表面上に有する。
【００２７】
コネクタ７ａは、内視鏡用バルーン送気チューブ１３の一端に設けられたコネクタ１３ｂに接続され、接続により気密が保たれる構造となっている。内視鏡用バルーン送気チューブ１３の他端に設けられたコネクタ１３ａは、空気供給チューブ１０の一端に設けられたコネクタ２ｄに接続され、接続により気密が保たれる構造となっている。さらに、コネクタ７ａは、管路を介して第１逆流防止用タンク１５ａと連通している。第１逆流防止用タンク１５ａは、内視鏡バルーン制御装置７の内部に設けられた第１ポンプ３３ａから吸気を行う際に、内視鏡バルーン制御装置７側である装置内に液体が侵入することを防止するために設けられており、管路を介して圧力測定手段である第１圧力センサ３５ａと連通している。第１圧力表示器１６ａは、圧力測定手段である第１圧力センサ３５ａが内視鏡用バルーン９に連通する管路の内圧を基に測定した、内視鏡用バルーン９の内圧値の表示を行う。
【００２８】
コネクタ７ｂは、オーバーチューブ用バルーン送気チューブ１４の一端に設けられたコネクタ１４ｂに接続され、接続により気密が保たれる構造となっている。オーバーチューブ用バルーン送気チューブ１４の他端に設けられたコネクタ１４ａは、空気供給チューブ１２の一端に設けられたコネクタ３ａに接続され、接続により気密が保たれる構造となっている。さらに、コネクタ７ｂは、管路を介して第２逆流防止用タンク１５ｂと連通している。第２逆流防止用タンク１５ｂは、内視鏡バルーン制御装置７の内部に設けられた第２ポンプ３３ｂから吸気を行う際に、内視鏡バルーン制御装置７側である装置内に液体が侵入することを防止するために設けられており、管路を介して圧力測定手段である第２圧力センサ３５ｂと連通している。第２圧力表示器１６ｂは、圧力測定手段である第２圧力センサ３５ｂがオーバーチューブ用バルーン１１に連通する管路の内圧を基に測定した、オーバーチューブ用バルーン１１の内圧値の表示を行う。
【００２９】
コネクタ７ｃは、接続ケーブル８ａの一端が接続可能な構成となっており、接続ケーブル８ａの他端には、リモートコントローラ８が接続されている。リモートコントローラ８には、図示しないスイッチが設けられており、内視鏡バルーン制御装置７に対し、電源のオンおよびオフの切替、バルーンの拡張および収縮等の操作を行うための信号を送信することができる。
【００３０】
内視鏡バルーン制御装置７の外表面上に設けられた電源スイッチ１７は、リモートコントローラ８に設けられた図示しない電源スイッチと同様の作用を示し、内視鏡バルーン制御装置７における電源のオンおよびオフの切替を行うことができる。
【００３１】
検査スイッチ１８は、オンすることで、所定の管路である、内視鏡バルーン制御装置７に連通する内視鏡用バルーン９およびオーバーチューブ用バルーン１１に対し、所定の検査を行うことができるスイッチである。該所定の検査の詳細な内容については、後程説明を行う。該所定の検査が終了した後、内視鏡バルーン制御装置７の内部に設けられた制御部３６の判定結果の内容を受けて、内視鏡用バルーン９の検査結果が第１ＬＥＤ１８ａに、オーバーチューブ用バルーン１１の検査結果が第２ＬＥＤ１８ｂに表示される。異常状態告知手段である第１ＬＥＤ１８ａおよび第２ＬＥＤ１８ｂにおいては、例えば、検査が正常終了した場合は点灯し、検査が異常終了した場合は点滅して異常を告知するといったような手段で、術者に内視鏡用バルーン９またはオーバーチューブ用バルーン１１の異常を告知することができる。なお、異常状態告知手段である第１ＬＥＤ１８ａおよび第２ＬＥＤ１８ｂについては、所定の検査終了時の告知手段は前記したものに限ったものでなくともよく、例えば、所定の検査が正常終了した場合は青色のＬＥＤが点灯し、異常終了した場合は赤色のＬＥＤが点灯するといったように、正常終了時と異常終了時のＬＥＤの色を違うものとすることにより、内視鏡用バルーン９またはオーバーチューブ用バルーン１１が異常な状態で検査が終了したことを視認しやすくしても良い。また、異常状態告知手段は、ＬＥＤによる視覚的な告知手段だけでなくとも良い。例えば、内視鏡用バルーン９またはオーバーチューブ用バルーン１１が異常であるという検査結果の内容を受けた場合、ＬＥＤの点灯と同時に所定の音を鳴らすことにより術者の注意を喚起させるような、音による告知手段を有していても良い。さらに、図２においては、内視鏡バルーン制御装置７の外表面上に設けられたＬＥＤの数は２つであるが、このＬＥＤの数に関しても２つに限るものではなく、必要に応じＬＥＤの数を増減させても良い。
【００３２】
次に、図３を用いて、内視鏡バルーン制御装置７の内部の構造、制御内容および制御内容に対する動作についての説明を行う。内視鏡バルーン制御装置７は、スイッチング電源部３１と、第１ブレーカ３２ａと、第２ブレーカ３２ｂと、空気の送気および吸気を行うことができる第１ポンプ３３ａおよび第２ポンプ３３ｂと、内部に図示しない管路および流量調整手段を有する管路切替部３４と、圧力測定手段を有する第１圧力センサ３５ａおよび第２圧力センサ３５ｂと、後程説明を行う所定の検査における制御手段を有する制御部３６とを内部に有する。
【００３３】
電源スイッチ１７またはリモートコントローラ８に設けられた図示しない電源スイッチがオンしている場合、スイッチング電源部３１は、第１ポンプ３３ａと、第２ポンプ３３ｂと、管路切替部３４と、リモートコントローラ８と、制御部３６とに、内視鏡バルーン制御装置７の外部に設けられた図示しない交流電源から供給された電力に基づき、各々に必要な電力を供給する。電力が各部に供給されると、初期設定状態として、第１ポンプ３３ａと、第２ポンプ３３ｂとが作動を開始し、また、管路切替部３４が開放状態、すなわち、管路切替部３４の内部に設けられた図示しない管路の内圧が外気圧と略同等の状態となる。
【００３４】
第１ポンプ３３ａは、管路切替部３４の内部に設けられた図示しない管路に連通しており、内視鏡用バルーン９が内視鏡バルーン制御装置７に取り付けられた場合、制御部３６から送信された制御信号の内容に基づき、所定の管路である、第１ポンプ３３ａに連通し、内視鏡用バルーン９に至るまでの第１の管路に対する送気または吸気を行う。第２ポンプ３３ｂは、管路切替部３４の内部に設けられた図示しない管路に連通しており、オーバーチューブ用バルーン１１が内視鏡バルーン制御装置７に取り付けられた場合、制御部３６から送信された制御信号の内容に基づき、所定の管路である、第２ポンプ３３ｂに連通し、オーバーチューブ用バルーン１１に至るまでの第２の管路に対する送気または吸気を行う。
【００３５】
管路切替部３４は、内部に図示しない管路および図示しないバルブ等で構成された流量調整手段を有し、第１ポンプ３３ａから内視鏡用バルーン９に至るまでの第１の管路、および第２ポンプ３３ｂからオーバーチューブ用バルーン１１に至るまでの第２の管路に対する送気流量を調整し、各々の管路の状態を変化させることができる。管路切替部３４が変化させることのできる管路の状態としては、管路の内圧を外気圧と略同等の状態とする開放状態、管路の内圧を所定の圧力に設定する保持状態、内視鏡用バルーン９およびオーバーチューブ用バルーン１１を拡張させる送気状態、内視鏡用バルーン９およびオーバーチューブ用バルーン１１を収縮させる吸気状態、の４状態がある。管路切替部３４は、制御部３６からの制御信号に基づき、管路切替部３４が内部に有する図示しないバルブ等の流量調整手段を用い、第１ポンプ３３ａおよび第２ポンプ３３ｂと連携して各管路の４状態を変化させることができる。
【００３６】
第１圧力センサ３５ａは、圧力測定手段であり、測定した内視鏡用バルーン９の内圧値を制御部３６に送信する。第２圧力センサ３５ｂは、圧力測定手段であり、測定したオーバーチューブ用バルーン１１の内圧値を制御部３６に送信する。
【００３７】
制御部３６は、後程説明を行う所定の検査の際における制御手段であり、第１圧力センサ３５ａが測定した内視鏡用バルーン９の内圧値と、第２圧力センサ３５ｂが測定したオーバーチューブ用バルーン１１の内圧値とに基づき、第１ポンプ３３ａ、第２ポンプ３３ｂ、および管路切替部３４の制御を行う。また、制御部３６は、リモートコントローラ８に設けられた図示しないスイッチの操作による信号に基づき、内視鏡用バルーン９およびオーバーチューブ用バルーン１１の拡張および収縮を行うための信号を、第１ポンプ３３ａと、第２ポンプ３３ｂと、管路切替部３４とに送信する。それにより、内視鏡用バルーン９およびオーバーチューブ用バルーン１１が、リモートコントローラ８に設けられた図示しないスイッチの操作に連動して拡張および収縮を行うことができるように、第１ポンプ３３ａと、第２ポンプ３３ｂと、管路切替部３４との制御が行われる。なお、制御部３６は、内部に中央演算装置（ＣＰＵ）、メモリ等からなる制御手段を有し、図示しないタイマと連携し、所定の時間および所定の設定値において、自動的に所定の制御を行うことができるように、予めプログラミング等の方法で、該所定の時間、該所定の設定値、該所定の制御の内容等を定めておくこともできるようになっている。
【００３８】
スイッチング電源部３１と、第１ポンプ３３ａおよび第２ポンプ３３ｂとの間の電源ラインにおいては、途中に第１ブレーカ３２ａが設けられている。リモートコントローラ８に設けられた、図示しないスイッチの操作を行うことで内視鏡バルーン制御装置７を緊急停止させた場合、第１ブレーカ３２ａが作動し、スイッチング電源部３１と、第１ポンプ３３ａおよび第２ポンプ３３ｂとの間の電源ラインの接続を断つ。これにより、緊急時には第１ポンプ３３ａおよび第２ポンプ３３ｂに対する電力の供給を遮断して第１ポンプ３３ａおよび第２ポンプ３３ｂを停止させることができる。
【００３９】
また、スイッチング電源部３１と、管路切替部３４との間の電源ラインにおいては、途中に第２ブレーカ３２ｂが設けられている。リモートコントローラ８に設けられた、図示しないスイッチの操作を行うことで内視鏡バルーン制御装置７を緊急停止させた場合、第２ブレーカ３２ｂが作動し、スイッチング電源部３１と、管路切替部３４との間の電源ラインの接続を断つ。これにより、緊急時には管路切替部３４に対する電力の供給を遮断して管路切替部３４における管路の切替を停止させ、管路を開放状態にすることができる。
【００４０】
次に、以上のような構成において、内視鏡バルーン制御装置７を用いて行うことのできる所定の検査、すなわち、所定の管路である内視鏡用バルーン９およびオーバーチューブ用バルーン１１に対する異常確認方法である異常検査についての説明を、図４を用いて行う。
【００４１】
内視鏡バルーン制御装置７を用いて内視鏡用バルーン９およびオーバーチューブ用バルーン１１に対する異常検査を行う際には、まず、コネクタ２ｄにコネクタ１３ａを取り付けて空気供給チューブ１０と内視鏡用バルーン送気チューブ１３を連通させ、コネクタ３ａにコネクタ１４ａを取り付けて空気供給チューブ１２とオーバーチューブ用バルーン送気チューブ１４を連通させる。このように、内視鏡用バルーン９およびオーバーチューブ用バルーン１１に送気ができる状態とした後、電源スイッチ１７またはリモートコントローラ８に設けられた図示しない電源スイッチをオンする。
【００４２】
この状態で検査スイッチ１８をオンすると、内視鏡用バルーン９およびオーバーチューブ用バルーン１１に対する異常検査が開始される。なお、前記した所定の検査である該異常検査の内容、手順および該異常検査における所定の設定値は、予め制御部３６内の図示しないメモリ等に、プログラム、データ等として予め記憶および設定されたものである。
【００４３】
検査開始後、まず、制御部３６は、第１ポンプ３３ａおよび第２ポンプ３３ｂを作動させ、かつ、管路切替部３４において管路開放状態の設定を行う（ステップＳ１）。その後、制御部３６は、第１ポンプ３３ａと、第２ポンプ３３ｂと、管路切替部３４とに対し最小送気流量（Ｑ０）により空気の送気を行う制御信号を送信する設定を行う（ステップＳ２）。そして、第１のステップ、すなわち、最小送気流量調整ステップ（ステップＳ３およびステップＳ４）として、図示しないタイマの初期化が行われた（ステップＳ３）後に、制御部３６は該制御信号を送信し、該制御信号を受けた管路切替部３４は、管路切替部３４が内部に有する図示しないバルブ等の流量調整手段を用い、第１ポンプ３３ａおよび第２ポンプ３３ｂとから、内視鏡用バルーン９およびオーバーチューブ用バルーン１１に対して最小送気流量（Ｑ０）で空気の送気を行うよう、送気流量の調整を行う（ステップＳ４）。なお、本実施形態においては、内視鏡用バルーン９およびオーバーチューブ用バルーン１１に対する最小送気流量（Ｑ０）は同じ送気流量であるとして以下の説明を行うが、これら最小送気流量（Ｑ０）は各々違った送気流量であっても良い。
【００４４】
送気流量調整ステップが行われた後、制御部３６が所定の時間が経過した時の内圧値を取得する、内圧値取得ステップ（ステップＳ５からステップＳ１０）が引き続き行われる。内圧値取得ステップにおいては、まず、最小送気流量（Ｑ０）に基づき、内視鏡用バルーン９およびオーバーチューブ用バルーン１１に対する送気を行い、予め制御部３６内に設定された所定の時間である時間１（ｔ１）が経過した時に（ステップＳ５）、制御部３６は、第１圧力センサ３５ａが測定した内視鏡用バルーン９の内圧値および第２圧力センサ３５ｂが測定したオーバーチューブ用バルーン１１の内圧値である、圧力１（Ｐ１）の取得を行う（ステップＳ６）。その後、制御部３６は、予め制御部３６内に設定された所定の時間である時間２（ｔ２）が経過した時に（ステップＳ７）、第１圧力センサ３５ａが測定した内視鏡用バルーン９の内圧値および第２圧力センサ３５ｂが測定したオーバーチューブ用バルーン１１の内圧値である、圧力２（Ｐ２）の取得を行う（ステップＳ８）。さらに、制御部３６は、予め制御部３６内に設定された所定の時間である時間３（ｔ３）が経過した時に（ステップＳ９）、第１圧力センサ３５ａが測定した内視鏡用バルーン９の内圧値および第２圧力センサ３５ｂが測定したオーバーチューブ用バルーン１１の内圧値である、圧力３（Ｐ３）の取得を行う（ステップＳ１０）。
【００４５】
時間３（ｔ３）において圧力３（Ｐ３）を取得した後、制御部３６は、内部に有する制御手段を用い、予め制御部３６内に設定された第１の閾値である到達圧力上限値と、圧力３（Ｐ３）との比較を行う（ステップＳ１１およびステップＳ１７）。この時、図５に示すように、圧力３（Ｐ３）が到達圧力上限値を超えた場合、第２のステップとして、制御部３６は、第１ポンプ３３ａまたは第２ポンプ３３ｂまたは管路のいずれかが異常であると判定する。また、該判定結果は、第３のステップとして、異常状態告知手段である、第１ＬＥＤ１８ａまたは第２ＬＥＤ１８ｂにより、視覚的な告知が行われ（ステップＳ３０）、該告知により、第１ポンプ３３ａまたは第２ポンプ３３ｂまたは管路のいずれかが異常であるということを、術者および術者の補助者等が確認することができる。そして、異常状態の告知が行われた後、制御部３６は、管路切替部３４において管路開放状態の設定を行うことにより検査を終了させる（ステップＳ３１）。
【００４６】
前記した、到達圧力上限値と圧力３（Ｐ３）との比較において、圧力３（Ｐ３）が到達圧力上限値に達しなかった場合、現在の送気流量が最大送気流量（Ｑｎ）であるかどうかの判定が行われる（ステップＳ１２）。今、送気流量は最小送気流量（Ｑ０）と設定されているため、次に、送気流量設定ステップ（ステップＳ１３からステップＳ１６）として、制御部３６は、最小送気流量（Ｑ０）から所定の設定値（Ｑ１）に送気流量を増加して空気の送気を行う制御信号を送信する設定を行う（ステップＳ１３）。該設定を行った後、制御部３６は、第１ポンプ３３ａと、第２ポンプ３３ｂと、管路切替部３４とに対し、管路の状態を吸気状態にするような制御信号を送信する。第１ポンプ３３ａと、第２ポンプ３３ｂと、管路切替部３４とにより管路の吸気が開始される（ステップＳ１４）と、内視鏡用バルーン９およびオーバーチューブ用バルーン１１は収縮を始める。そして、内視鏡用バルーン９およびオーバーチューブ用バルーン１１の内圧値が共に略０になる時間４（ｔ４）が経過する（ステップＳ１５）と、制御部３６は、第１ポンプ３３ａと、第２ポンプ３３ｂと、管路切替部３４に対し、管路の吸気を停止させる（ステップＳ１６）。その後、再び図示しないタイマの初期化が行われた（ステップＳ３）後に、制御部３６は、所定の設定値（Ｑ１）の送気流量にする制御信号を、第１ポンプ３３ａと、第２ポンプ３３ｂと、管路切替部３４に対し送信する。以下、制御部３６は、ステップＳ３からステップＳ１６までの処理を、送気流量の設定値Ｑｉ（ｉ＝０、１、…、ｎ−１、ｎ）を段階的に増加させながら、最大送気流量（Ｑｎ）の送気流量になるまで繰り返す。
【００４７】
すなわち、図示しないタイマの初期化が行われ、制御部３６から送信される制御信号に基づき、管路に対する各送気流量（Ｑ１、Ｑ２、…、Ｑｉ、…、Ｑｎ−１）の調整が、第１ポンプ３３ａと、第２ポンプ３３ｂと、管路切替部３４により行われる送気流量調整ステップ（ステップＳ３およびステップＳ４）と、各送気流量（Ｑ１、Ｑ２、…、Ｑｉ、…、Ｑｎ−１）において、時間１（ｔ１）が経過した時の圧力１（Ｐ１）と、時間２（ｔ２）が経過した時の圧力２（Ｐ２）と、時間３（ｔ３）が経過した時の圧力３（Ｐ３）とを制御部３６が取得する内圧値取得ステップ（ステップＳ５からステップＳ１０）と、管路の吸気を開始後、時間４（ｔ４）が経過した際に管路の吸気を停止し、次回測定における管路に対する各送気流量（Ｑ２、Ｑ３、…、Ｑｉ＋１、…、Ｑｎ）の設定が行われる送気流量設定ステップ（ステップＳ１３からステップＳ１６）とが、予め制御部３６内に設定された所定の回数分だけ、最大送気流量（Ｑｎ）になるまで繰り返される。なお、本実施形態においては、該所定の回数は、最小送気流量（Ｑ０）から最大送気流量（Ｑｎ）までの（ｎ＋１）回であるとする。
【００４８】
そして、（ｎ＋１）回目の送気流量設定ステップが行われた後、第４のステップ、すなわち、最大送気流量調整ステップ（ステップＳ３およびステップＳ４）として、制御部３６は制御信号を送信し、該制御信号を受けた管路切替部３４は、管路切替部３４が内部に有する図示しないバルブ等の流量調整手段を用い、第１ポンプ３３ａおよび第２ポンプ３３ｂと連携し、内視鏡用バルーン９およびオーバーチューブ用バルーン１１に対して最大送気流量（Ｑｎ）で送気を行うよう、送気流量の調整を行う。最大送気流量（Ｑｎ）において、前記内圧値取得ステップ（ステップＳ５からステップＳ１０）が終了した後、制御部３６は、内部に有する制御手段を用い、予め制御部３６内に設定された第２の閾値である到達圧力下限値と、圧力３（Ｐ３）との比較を行う（ステップＳ１２およびステップＳ１８）。この時、図６に示すように、圧力３（Ｐ３）が到達圧力下限値に達しない場合、第５のステップとして、制御部３６は、第１ポンプ３３ａまたは第２ポンプ３３ｂまたは管路のいずれかが異常であると判定する。また、該判定結果は、第６のステップとして、異常状態告知手段である、第１ＬＥＤ１８ａまたは第２ＬＥＤ１８ｂにより、視覚的な告知が行われ（ステップＳ３０）、第１ポンプ３３ａまたは第２ポンプ３３ｂのいずれかが異常であるということを、術者および術者の補助者等が確認することができる。そして、異常状態の告知が行われた後、制御部３６は、管路切替部３４において管路開放状態の設定を行うことにより検査を終了させる（ステップＳ３１）。
【００４９】
また、前記した到達圧力下限値と圧力３（Ｐ３）との比較（ステップＳ１８）において、圧力３（Ｐ３）が到達圧力下限値を超えた場合、制御部３６は、管路開放状態の設定を行った（ステップＳ１９）後、各送気流量において取得された各圧力３（Ｐ３）と、予め制御部３６内に設定された所定の圧力値である目標圧力値との差の値を求めるための計算を、最小送気流量（Ｑ０）から最大送気流量（Ｑｎ）までの（ｎ＋１）回分の圧力３（Ｐ３）に対してそれぞれ行う（ステップＳ２０）。さらに、制御部３６は、それら（ｎ＋１）個の差分値の比較を行い、図７で示されるような、その中で最も差分値が小さくなる圧力３（Ｐ３）が測定された送気流量、すなわち、調整後設定流量（Ｑｘ）により内視鏡用バルーン９およびオーバーチューブ用バルーン１１に送気を行うことができるように、第１ポンプ３３ａと、第２ポンプ３３ｂと、管路切替部３４とに対し制御信号を送信する（ステップＳ２１およびステップＳ２２）。また、このとき、時間１（ｔ１）、時間２（ｔ２）、時間３（ｔ３）のそれぞれに対応する目標圧力値を制御部３６内に予め設定しておき、該目標圧力値に基づいて、制御部３６は、最小送気流量（Ｑ０）から最大送気流量（Ｑｎ）までの（ｎ＋１）回分の圧力１（Ｐ１）、圧力２（Ｐ２）、圧力３（Ｐ３）に対してそれぞれの差分の二乗を計算し、該計算により求められた計算値が最小となるような送気流量を調整後送気流量（Ｑｘ）としてもよい。
【００５０】
以上のような方法で設定を行った調整後設定流量（Ｑｘ）は、術者が実際に使用する、それぞれの内視鏡用バルーン９およびオーバーチューブ用バルーン１１に対して設定される送気流量である。そのため、材質や容量の違う内視鏡用バルーン９およびオーバーチューブ用バルーン１１を使い分けつつ術者が処置を行う際にも、それぞれの内視鏡用バルーン９およびオーバーチューブ用バルーン１１に対して最適な送気流量、すなわち、調整後設定流量（Ｑｘ）により空気の送気を行うことができる。
【００５１】
ステップＳ２２以降の、調整後設定流量（Ｑｘ）における、内視鏡用バルーン９およびオーバーチューブ用バルーン１１の異常検査としては、まず、図示しないタイマの初期化が行われ（ステップＳ２３）、内視鏡用バルーン９およびオーバーチューブ用バルーン１１に対して送気が行われる。時間３（ｔ３）が経過した際に、制御部３６は、管路保持状態の設定を行い、その後、制御部３６は、予め制御部３６内に設定された第１の時間であって、かつ、時間３（ｔ３）以降の時間である時間５（ｔ５）に、第１圧力センサ３５ａが測定した内視鏡用バルーン９の内圧値および第２圧力センサ３５ｂが測定したオーバーチューブ用バルーン１１の内圧値、すなわち、第１の内圧値である、圧力５（Ｐｔ５）の取得を行う（ステップＳ２４およびステップＳ２５）。さらに、制御部３６は、予め制御部３６内に設定された第２の時間であって、かつ、時間５（ｔ５）以降の時間である時間６（ｔ６）に、第１圧力センサ３５ａが測定した内視鏡用バルーン９の内圧値および第２圧力センサ３５ｂが測定したオーバーチューブ用バルーン１１の内圧値、すなわち、第２の内圧値である、圧力６（Ｐｔ６）の取得を行う（ステップＳ２６およびステップＳ２７）。
【００５２】
時間６（ｔ６）において圧力６（Ｐｔ６）を取得した後、制御部３６は、圧力５（Ｐｔ５）と圧力６（Ｐｔ６）との差の絶対値を求めるための計算を行う。さらに、制御部３６は、内部に有する制御手段を用い、予め制御部３６内に設定された所定の閾値と該絶対値との比較を行い（ステップＳ２８）、該絶対値が所定の閾値を超えた場合、内視鏡用バルーン９またはオーバーチューブ用バルーン１１または管路のいずれかが異常であると判定する。また、該判定結果は、異常状態告知手段である、第１ＬＥＤ１８ａまたは第２ＬＥＤ１８ｂにより、視覚的な告知が行われ（ステップＳ３０）、内視鏡用バルーン９またはオーバーチューブ用バルーン１１のいずれかが異常であるということを、術者および術者の補助者等が確認することができる。そして、異常状態の告知が行われた後、制御部３６は、内部に有する制御手段を用い、管路切替部３４において管路開放状態の設定を行うことにより検査を終了させる（ステップＳ３１）。なお、本実施形態においては、第１ポンプ３３ａおよび第２ポンプ３３ｂの目標圧力値、調整後設定流量（Ｑｘ）、各管路の測定値は各々同一であるとしたが、各々のポンプおよび管路に対し、個別に本フローを行い、個別の測定を経て、個別の目標圧力値に対し、個別の調整後設定流量（Ｑｘ）を得てもよい。
【００５３】
また、前記した所定の閾値と圧力５（Ｐｔ５）と圧力６（Ｐｔ６）との差の絶対値が所定の閾値に達しなかった場合、制御部３６は、内視鏡用バルーン９およびオーバーチューブ用バルーン１１および管路はいずれも正常であると判定する。また、該判定結果は、異常状態告知手段である、第１ＬＥＤ１８ａまたは第２ＬＥＤ１８ｂにより、視覚的な告知が行われ（ステップＳ２９）、内視鏡用バルーン９およびオーバーチューブ用バルーン１１はいずれも正常であるということを、術者および術者の補助者等が確認することができる。そして、正常状態の告知が行われた後、制御部３６は、内部に有する制御手段を用い、管路切替部３４において管路開放状態の設定を行うことにより検査を終了させる（ステップＳ３１）。
【００５４】
このような構成において、本実施形態の内視鏡バルーン制御装置７は、内視鏡用バルーン９およびオーバーチューブ用バルーン１１に対し、前記のような異常検査を行うことができる機能を有しており、生体に対して処置を行う現場において、術者および術者の補助者等が、簡便かつ自動的に、内視鏡用バルーン９およびオーバーチューブ用バルーン１１における気密不良等の異常を確認することができる。そのため、内視鏡用バルーン９またはオーバーチューブ用バルーン１１そのものの異常が原因となるような、生体内における内視鏡用バルーン９またはオーバーチューブ用バルーン１１の破裂および固定不良が起こる可能性を無くすことができる。
【００５５】
なお、内視鏡バルーン制御装置７においては、図９に示すように、内視鏡用バルーン９およびオーバーチューブ用バルーン１１の代用となる検査用治具４１と、調整プロセッサ４４とを取り付けて、異常検査を行うこともできる。検査用治具４１は、例えば、所定の材質により形成され、所定の容量を有する、第１検査用管路４２と、第２検査用管路４３とを有する。また、調整プロセッサ４４は、例えばパーソナルコンピュータのような端末装置であって、制御部３６と有線あるいは無線による通信手段を用いて通信することができ、制御部３６内に予め設定された所定の時間、所定の設定値、所定の制御の内容等を、該通信手段を用いて任意の設定値に変更することができる。例えば、前記した異常検査においては、制御部３６が前記内圧値取得ステップ（ステップＳ５からステップＳ１０）において内圧値を取得する回数は、時間１（ｔ１）と、時間２（ｔ２）と、時間３（ｔ３）との３回であったが、調整プロセッサ４４を使用することで、この回数を任意の回数に設定することができる。
【００５６】
さらに、図示しないモニター等の表示手段を調整プロセッサ４４に接続することで、内視鏡バルーン制御装置７の外表面上に設けられた第１ＬＥＤ１８ａおよび第２ＬＥＤ１８ｂの点灯、点滅等と共に、検査の正常終了あるいは異常終了を該表示手段に視覚的に表示するような異常状態告知手段を設けることもできる。
【００５７】
このような構成において、前記した異常検査を行う場合、前記第１のステップから前記第６のステップまでの検査を行うことで、第１ポンプ３３ａ、第２ポンプ３３ｂ、および管路切替部３４の異常確認方法としての異常検査を行うことができる。また、所定の検査用治具４１に対する調整後設定流量（Ｑｘ）の設定を行うことで、第１検査用管路４２および第２検査用管路４３に対応した内視鏡用バルーン９およびオーバーチューブ用バルーン１１を使用する、同一機種である複数の内視鏡バルーン制御装置７の空気の送気流量を所定の設定流量に調整することができる。
【００５８】
前記作用により、例えば、同一機種である内視鏡バルーン制御装置７の製造時検査等において、検査者が、内視鏡バルーン制御装置７の内部に設けられた流量調整手段、すなわち、第１ポンプ３３ａ、第２ポンプ３３ｂ、および管路切替部３４の異常を確認することができる。また、流量調整手段が正常な場合においては、検査者が、同一機種である複数の内視鏡バルーン制御装置７の空気の送気流量を、簡便かつ自動的に略同一の送気流量である調整後設定流量（Ｑｘ）に調整することができる。
【００５９】
なお、以上説明した本実施形態の構成から、次の付記に示す構成に特徴がある。
【００６０】
［付記］
［付記項１］内視鏡に用いられるバルーンに接続される所定の管路に対し空気の送気を行うポンプと、前記所定の管路の内圧を測定する圧力測定手段と、前記ポンプの前記所定の管路に対する送気流量を調整する流量調整手段と、前記流量調整手段を制御することによって、前記ポンプの前記所定の管路への送気流量を変化させて前記所定の管路の内圧値を所定の圧力値とした後、第１の時間および第２の時間において前記圧力測定部が測定した前記所定の管路の内圧値を取得し、かつ、前記第１の時間における前記所定の管路の第１の内圧値と第２の時間における前記所定の管路の第２の内圧値との差の絶対値が所定の閾値を超える場合においては、前記バルーンが異常であることを判定する制御手段と、前記制御手段の判定結果に基づき、前記所定の管路の異常を告知する異常状態告知手段とを具備することを特徴とする内視鏡バルーン制御装置。
【００６１】
［付記項２］前記制御手段は、前記流量調整手段を制御することによって、前記ポンプの前記所定の管路への送気流量を最小送気流量および最大送気流量に変化させて前記所定の管路に空気を供給し、所定の時間において前記圧力測定部が測定した前記所定の管路の内圧値を取得し、かつ、前記ポンプの最小送気流量の空気が前記所定の管路に供給された後前記所定の時間が経過した際に、前記所定の管路の内圧値が予め設定された第１の閾値を超えた場合、または前記ポンプの最大送気流量の空気が前記所定の管路に供給された後前記所定の時間が経過した際に、前記所定の管路の内圧値が予め設定された第２の閾値に達しない場合においては、前記ポンプが異常であることを判定する判定手段を有することを特徴とする付記項１記載の内視鏡バルーン制御装置。
【００６２】
［付記項３］内視鏡に用いられるバルーンに接続される所定の管路に対し空気の送気を行うポンプと、前記所定の管路の内圧を測定する圧力測定手段と、前記ポンプの前記所定の管路に対する送気流量を調整する流量調整手段とを具備する内視鏡バルーン制御装置の前記ポンプまたは前記所定の管路の異常確認方法において、前記ポンプおよび前記流量調整手段を制御することによって、前記ポンプの前記所定の管路への送気流量を最小送気流量に変化させる第１のステップと、前記第１のステップの所定の時間において、前記圧力測定部が測定した前記所定の管路の内圧の測定値が、予め設定された第１の閾値を越えた場合、前記ポンプまたは前記所定の管路が異常であることを判定する第２のステップと、前記第２のステップの判定に基づいて前記ポンプまたは前記所定の管路が異常であることを告知する第３のステップとからなる異常確認方法。
【００６３】
［付記項４］さらに、前記ポンプおよび前記流量調整手段を制御することによって、前記ポンプの前記所定の管路への送気流量を最大送気流量に変化させる第４のステップと、  前記第４のステップの所定の時間において、前記圧力測定部が測定した前記所定の管路の内圧の測定値が、予め設定された第２の閾値に達しない場合、前記ポンプまたは前記所定の管路が異常であることを判定する第５のステップと、前記第５のステップの判定に基づいて前記ポンプまたは前記所定の管路が異常であることを告知する第６のステップと、  を有することを特徴とする付記項３に記載の異常確認方法。
【図面の簡単な説明】
【００６４】
【図１】内視鏡システムにおいて、本実施形態に係る内視鏡バルーン制御装置が用いられた内視鏡システムの構成図。
【図２】本実施形態に係る内視鏡バルーン制御装置の接続構成図。
【図３】第１の実施形態に係る内視鏡バルーン制御装置の内部構成を示したブロック図。
【図４】第１の実施形態に係る内視鏡バルーン制御装置の制御内容を示すフローチャート。
【図５】図４のフローチャートにおいて、第１の実施形態に係る内視鏡バルーン制御装置が有するポンプの最小流量設定において異常調整終了通知と判定される場合の、内視鏡用バルーンまたはオーバーチューブ用バルーンの内圧と送気時間との関係を示したグラフ。
【図６】図４のフローチャートにおいて、第１の実施形態に係る内視鏡バルーン制御装置が有するポンプの最大流量設定において異常調整終了通知と判定される場合の、内視鏡用バルーンまたはオーバーチューブ用バルーンの内圧と送気時間との関係を示したグラフ。
【図７】図４のフローチャートにおいて、第１の実施形態に係る内視鏡バルーン制御装置が有するポンプの流量設定を最小流量設定から最大流量設定に変化させても、異常が確認されなかった場合の、内視鏡用バルーンまたはオーバーチューブ用バルーンの内圧と送気時間との関係を示したグラフ。
【図８】図８は、図４のフローチャートにおいて、内視鏡バルーン制御装置が有するポンプの流量設定を調整後流量設定とした後に、内視鏡用バルーンまたはオーバーチューブ用バルーンの内圧を略平衡状態となる所定の内圧値として管路の内圧の変化を確認する場合の、内視鏡用バルーンまたはオーバーチューブ用バルーンの内圧と送気時間との関係を示したグラフ。
【図９】第１の実施形態に係る内視鏡バルーン制御装置を用いて行う検査において、内視鏡用バルーンおよびオーバーチューブ用バルーンの代用となる検査用治具と、調整プロセッサとを内視鏡バルーン制御装置に取り付けて検査を行う際の構成図。
【図１０】生体内に内視鏡が挿入された状態を説明するための説明図。
【図１１】オーバーチューブ用バルーンを拡張させ、オーバーチューブを生体内に固定した状態を示す図。
【図１２】オーバーチューブが生体内に固定された際に、内視鏡の挿入部のみを所定の距離だけ前進させた状態を示す図。
【図１３】内視鏡の挿入部のみを所定の距離だけ前進させた後、内視鏡用バルーンを拡張させて内視鏡の挿入部を生体内に固定した状態を示す図。
【図１４】内視鏡の挿入部が生体内に固定された状態で、オーバーチューブ用バルーンを収縮させた状態を示す図。
【図１５】内視鏡の挿入部が生体内に固定された際に、オーバーチューブのみを所定の距離だけ前進させた状態を示す図。
【図１６】オーバーチューブを所定の距離だけ前進させた後、再びオーバーチューブ用バルーンを拡張させ、オーバーチューブを生体内に固定した状態を示す図。
【符号の説明】
【００６５】
１  内視鏡システム、２  内視鏡、２ａ  操作部、２ｂ  挿入部、２ｃ  ユニバーサルコード、２ｄ，３ａ，４ａ，７ａ，７ｂ，７ｃ，１３ａ，１３ｂ，１４ａ，１４ｂ  コネクタ、３  オーバーチューブ、４  光源装置、４ｂ，５ａ，８ａ  接続ケーブル、５  ビデオプロセッサ、６  モニター、７  内視鏡バルーン制御装置、８  リモートコントローラ、９  内視鏡用バルーン、１０，１２  空気供給チューブ、１１  オーバーチューブ用バルーン、１３  内視鏡用バルーン送気チューブ、１４  オーバーチューブ用バルーン送気チューブ、１５  逆流防止用タンク、１５ａ  第１逆流防止用タンク、１５ｂ  第２逆流防止用タンク、１６  圧力表示器、１６ａ  第１圧力表示器、１６ｂ  第２圧力表示器、１７  電源スイッチ、１８  検査スイッチ、１８ａ  第１ＬＥＤ、１８ｂ  第２ＬＥＤ、３１  スイッチング電源部、３２ａ  第１ブレーカ、３２ｂ  第２ブレーカ、３３ａ  第１ポンプ、３３ｂ  第２ポンプ、３４  管路切替部、３５ａ  第１圧力センサ、３５ｂ  第２圧力センサ、３６  制御部、４１  検査用治具、４２  第１検査用管路、４３  第２検査用管路、４４  調整プロセッサ、１０１  腸管、１０２  腸壁
代理人    弁理士    伊  藤    進
【図１】
2005296256.tif 000003
【図２】
2005296256.tif 000004
【図３】
2005296256.tif 000005
【図４】
2005296256.tif 000006
【図５】
2005296256.tif 000007
【図６】
2005296256.tif 000008
【図７】
2005296256.tif 000009
【図８】
2005296256.tif 000010
【図９】
2005296256.tif 000011
【図１０】
2005296256.tif 000012
【図１１】
2005296256.tif 000013
【図１２】
2005296256.tif 000014
【図１３】
2005296256.tif 000015
【図１４】
2005296256.tif 000016
【図１５】
2005296256.tif 000017
【図１６】
2005296256.tif 000018